(57)【特許請求の範囲】
【請求項１】
その内部に遊技機のアプリケーションプログラムが格納されたユーザメモリ、遊技機毎の識別コードが書き込まれた固有コード格納メモリ、ＣＰＵ、所定の暗号化アルゴリズムが格納されたセキュリティチェック回路、外部通信回路、暗号／復号回路及び遊技情報メモリとが各種バスを介して接続された遊技機制御用チップと、
前記遊技機制御用チップの外部通信回路と接続されたその内部にＣＰＵ、遊技情報メモリ、各遊技機の識別コードが格納された固有コード格納メモリ、外部通信回路、該外部通信回路で受信した一部情報を前記ＣＰＵの指示に基づき復号化すると共に外部に送信する情報を暗号化するための暗号／復号回路とがそれぞれ各種バスを介して接続された遊技機監視用回路を有するカードユニットとからなり、
前記カードユニットが、電源投入時およびカード挿入時に遊技機制御用チップの遊技情報メモリに格納された積算遊技情報を取り出し、前回の遊技情報に遊技情報出力回路から入手した遊技情報を加算したものと新たに取り出した遊技情報とを比較することにより遊技機制御用チップが正規のものか否かを判定するように構成されていることを特徴とする遊技機制御用チップ監視システム。
【請求項２】
その内部に遊技機のアプリケーションプログラムが格納されたユーザメモリ、遊技機毎の識別コードが書き込まれた固有コード格納メモリ、ＣＰＵ、所定の暗号化アルゴリズムが格納されたセキュリティチェック回路、外部通信回路、暗号／復号回路及び遊技情報メモリとが各種バスを介して接続された遊技機制御用チップと、
前記遊技機制御用チップの外部通信回路と接続されたその内部にＣＰＵ、遊技情報メモリ、各遊技機の識別コードが格納された固有コード格納メモリ、外部通信回路、該外部通信回路で受信した一部情報を前記ＣＰＵの指示に基づき復号化すると共に外部に送信する情報を暗号化するための暗号／復号回路とがそれぞれ各種バスを介して接続された遊技機監視用回路を有するカードユニットとからなり、
前記カードユニットが、カード挿入時およびカード取り出し又は次のカード挿入時に遊技機制御用チップの遊技情報メモリに格納された遊技情報を取り出し、前回の遊技情報に遊技情報出力回路から入手した積算遊技情報を加算したものと新たに取り出した遊技情報とを比較することにより遊技機制御用チップが正規のものか否かを判定するように構成されていることを特徴とする遊技機制御用チップ監視システム。
【請求項３】
その内部に遊技機のアプリケーションプログラムが格納されたユーザメモリ、遊技機毎の識別コードが書き込まれた固有コード格納メモリ、ＣＰＵ、所定の暗号化アルゴリズムが格納されたセキュリティチェック回路、外部通信回路、暗号／復号回路及び遊技情報メモリとが各種バスを介して接続された遊技機制御用チップと、
前記遊技機制御用チップの外部通信回路と接続されたその内部にＣＰＵ、遊技情報メモリ、各遊技機の識別コードが格納された固有コード格納メモリ、外部通信回路、該外部通信回路で受信した一部情報を前記ＣＰＵの指示に基づき復号化すると共に外部に送信する情報を暗号化するための暗号／復号回路とがそれぞれ各種バスを介して接続された遊技機監視用回路を有するカードユニットとからなり、
前記カードユニットが、所定の間隔で遊技機制御用チップの遊技情報メモリに格納された遊技情報を取り出し、前回の遊技情報に遊技情報出力回路から入手した積算遊技情報を加算したものと新たに取り出した遊技情報とを比較することにより遊技機制御用チップが正規のものか否かを判定するように構成されていることを特徴とする遊技機制御用チップ監視システム。
【請求項４】
前記遊技機監視用回路が遊技情報を取り出す際に、併せて遊技機制御用チップの固有コード格納メモリに格納された識別コードを取り出し、暗号／復号回路で復号化した情報と予め遊技機監視用回路の固有コード格納メモリに格納された識別コードとの照合も行うように構成されていることを特徴とする請求項１から３のいずれか１項記載の遊技機制御用チップ監視システム。
【請求項５】
前記遊技機監視用回路の代わりに店内ネットワークシステムにて店内監視用コンピュータにその機能を持たせたことを特徴とする請求項１から４のいずれか一項記載の遊技機制御用チップ監視システム。
【発明の詳細な説明】
【０００１】
【発明の属する技術分野】
本発明は、パチンコ、回胴式遊技機等における遊技機の制御基板に組み込まれたアプリケーションプログラム及び該プログラムに基づき遊技機を制御するためのチップが正規のものであるか否について照合する機能を有する遊技機制御用チップに関して、自己診断だけではなく外部から遊技機が正規か否かを照合するための遊技機制御用チップ監視システムに関するものである。
【０００２】
【従来の技術】
従来の遊技機制御用のチップに格納されたユーザープログラムのチェックは、型式試験申請された時点で第三者検査機関が様々な角度からその内容の検討が慎重に行われるが、試験合格後は検査機関による管理を離れ、型式試験合格の認定を受けたユーザープログラムを搭載した遊技機は遊技機メーカーが第三者監督機関に対して検定を申請し、この検定に合格した製品が遊技場に出荷されている。
そしてチップ内のＲＯＭに書き込まれたプログラムに更に特定の暗号化アルゴリズムにて暗号化した認証コードを付与し、該プログラム及び該認証コードとを比較し合致しているか否かをチップ内に設けた照合回路にてチェックできるようにしたものが知られている。
【０００３】
【発明が解決しようとする課題】
しかしながら、一般に遊技中は遊技動作に悪影響を与えないために外部からＣＰＵに指令を出すことは容認されておらず、遊技終了時点しか遊技機に設置されたチップを照合することができない状況にあった。
そのため、遊技者の中には一時的に遊技機の電源を切断した後に正規チップと並列に改造チップを組み込み、電源投入時には正規チップを作動させセキュリティチェック後に改造チップを作動するように仕組む不正行為が行われるがかかる不正には対応できないという不都合がある。
これは自己診断システムそのものは優れていても、不正チップを並列に組み込まれることまで予想し得なかったためである。
そこで、本発明はかかる従来技術の欠点に鑑み、自己診断システムを有する遊技機制御用チップに隣接して遊技機監視用の回路を組み込み、外部からも不正をチェックできるように構成したものである。
【０００４】
【課題を解決するための手段】
すなわち請求項１の発明は、その内部に遊技機のアプリケーションプログラムが格納されたユーザメモリ、所定のアルゴリズムにより暗号化された遊技機毎の識別コードが書き込まれた固有コード格納メモリ、ＣＰＵ、所定の暗号化アルゴリズムが格納されたセキュリティチェック回路、外部通信回路、暗号／復号回路及び遊技情報メモリとが各種バスを介して接続された遊技機制御用チップと、
前記遊技機制御用チップの外部通信回路と接続されたその内部にＣＰＵ、遊技情報メモリ、各遊技機の識別コードが格納された固有コード格納メモリ、外部通信回路、該外部通信回路で受信した一部情報を前記ＣＰＵの指示に基づき復号化すると共に外部に送信する情報を暗号化するための暗号／復号回路とがそれぞれ各種バスを介して接続された遊技機監視用回路を有するカードユニットとからなり、
前記カードユニットが、電源投入時およびカード挿入時に遊技機制御用チップの遊技情報メモリに格納された遊技情報を取り出し、前回の遊技情報に遊技情報出力回路から入手した積算遊技情報を加算したものと新たに取り出した遊技情報とを比較することにより遊技機制御用チップが正規のものか否かを判定するように構成された遊技機制御用チップ監視システムである。
また請求項４の発明は遊技機監視用回路において、遊技機監視用回路に予め各遊技機毎の識別コードを格納しておき、外部通信回路を介して遊技機制御用チップから入手した暗号化識別コード情報を復号化したものと比較することにより、遊技機制御用チップが正規のものか否かを照合できるようにも構成している。
【０００５】
【作用】
すなわち本発明にかかるシステムでは、一般にパチンコ店などの遊技場では朝に各遊技機の電源を投入し、閉店後に電源を切断している。従って通常の場合には閉店時と電源投入時における各遊技機の遊技情報（出玉情報、大当たり情報及び図柄停止情報等）に関しては変化はなく、遊技機のチップを変更した場合に遊技情報が変更される。
また開店後に遊技機制御用チップを改造した遊技機制御用チップを装着した場合に遊技情報が変わるということに着目したもので、遊技機制御用チップ及び遊技機監視用回路内にそれぞれ遊技情報を格納するためのメモリを設置し、さらには遊技機監視用回路が遊技機制御用チップの遊技情報出力回路と接続されているので、前記メモリには最新の遊技情報が格納される。
【０００６】
かかる状況において、電源切断時に予め遊技機監視用回路は遊技機制御用チップ内の遊技情報メモリから遊技情報を取り出して、その遊技情報を遊技情報メモリに格納しておく。そして開店前の遊技機への電源投入時に再度遊技機制御用チップ内に格納された遊技情報を取り出し、前夜の遊技情報との間に違い又は大きな差はないかを判定することにより、開店前における遊技機制御用チップの改造状況を監視する。
【０００７】
また本発明にかかる装置では、カードユニットに遊技機監視用回路が組み込まれており、カードユニットにカードを挿入した時に、遊技機制御用チップ内の遊技情報を取り出す。そして、遊技者が遊技することにより遊技情報（出玉情報、大当たり情報及び図柄停止情報等）はどんどんメモリに加算され、最終的に次のカード挿入時又はカード取り出し時における遊技機制御用チップ内に格納された遊技情報との比較を行い、その差がある場合又は大きな差である時に遊技機制御用チップは改造されたと判断する。
その結果パチンコ店の開店中における不正行為も確認することが可能となる。さらに、本発明にかかる遊技機監視用回路では、遊技機制御用チップ内の識別コードもカード挿入時又はカード取り出し時にチェックするように構成されているために、遊技機制御用チップのチェックは二重に行われ、チェックの結果不正と判断した時には遊技機の電源を切断して遊技機を使用できない状態としたり、ホストコンピュータなどに送信して注意を促すことができる。
【０００８】
【発明の実施の形態】
以下に本発明を図示された実施例に従って詳細に説明する。
図１に示すものは、本発明にかかる第１実施例を示すもので、パチンコ・回胴式遊技機の遊技機制御基板１には、ユーザープログラムが型式試験に合格したものか否かをチェックするセキュリティチェック回路を含む遊技機制御用チップ２が組み込まれている。３は遊技機に組み込まれた払出しユニットである。
前記遊技機制御用チップ２は外部通信回路を介して監視ユニット４と接続されており、本実施例ではさらに遊技機制御用チップ２に格納された遊技情報（出玉情報、大当たり情報及び図柄停止情報等）の遊技情報が監視ユニット４に送信されるように構成されている。遊技機制御用チップ２から監視ユニット４を介して払出しユニット３に払出し要求を行うことにより、払出しユニット用の制御チップを省略している。
そしてより詳細なブロック図を示したものが図２である。
【０００９】
図２において遊技機制御用チップ２は、リセット回路３２と接続された各種演算・プログラムの実行処理を行う中央処理装置（以下ＣＰＵと呼ぶ。）２１と、コンピュータ電源投入当初の初期化等を行うブートＲＡＭ２２及びブートＲＯＭ２３と、ユーザープログラム用のワークＲＡＭ２４と、遊技機の稼働状態で入手する遊技情報（出玉情報、大当たり情報及び図柄停止情報等）を逐一積算値として格納する遊技情報バックアップメモリ２５と、各遊技機の識別コードを格納した固有コード格納メモリ２６と、型式試験の結果合格したユーザープログラム及び認証コードなどが格納されたユーザＲＯＭ２７と、遊技機制御用チップ２内の各種情報を外部機器に対して送信するための外部通信回路２８と、遊技機制御用チップ２内の遊技情報を外部機器に対して送信するための遊技情報出力回路２９と、前記ユーザＲＯＭ２７に格納されたユーザープログラム及び認証コードに基づきユーザープログラムが正規のものか否かをチェックするセキュリティチェック回路３０と、外部通信回路２８の送受信に際して各種情報及びデータを所定のアルゴリズムに従い暗号化又は復号化するための暗号／復号回路３１とからなる。各回路及びＣＰＵ２１は内部バスを介して相互に接続されている。
【００１０】
遊技機監視用回路４は、リセット回路４２と接続された中央処理装置（以下サブＣＰＵ）４１と、ワークＲＡＭ４３と、監視プログラムなどが格納されたプログラムＲＯＭ４４と、前記遊技機制御用チップ内の外部通信回路２８と結線された外部通信回路４５と、前記遊技機制御用チップ内の遊技情報出力回路２９と接続された遊技情報入力回路４６を介して入力された遊技情報（出玉情報、大当たり情報及び図柄停止情報等）を格納するための遊技情報メモリ４７と、外部通信回路４５を介して遊技機制御用チップ２の固有コード格納メモリ２６から送信されるべき識別コードと同じ遊技機固有の識別コードが格納された固有コード格納メモリ４８と、外部通信回路４５の送受信に際して各種データを所定のアルゴリズムで暗号化又は復号化するための暗号／復号回路４９とからなり、サブＣＰＵ４１及び各回路は内部バスを介して相互に接続されている。尚、本実施例にかかる遊技機監視用回路４では、遊技機制御用チップ２又は遊技機１本体から得られる遊技情報（出玉情報、大当たり情報、図柄停止情報等）を常時受信し、電源投入時又は電源切断時に遊技機制御用チップ２の遊技情報格納メモリ２５から送信された遊技情報に積算情報として加算するように構成されている。尚、本遊技機監視用回路は、監視ユニット４として構成されているが、監視用の機能の他に遊技機のカードユニットの機能を兼ねたもので構成しても良い。
カードユニットとして使用する場合は、カード挿入時及びカード取り出し時にカードリーダ（図示せず）からカード挿入時及び取り出し時に関する情報を受信するように構成されている。そして、本遊技機監視用回路４では、開店前の電源投入時、閉店後の電源切断時、遊技者による遊技機利用のためのカード挿入時又は遊技終了後のカード取り出し時に、遊技機制御用チップ内の固有コード格納メモリ２６に格納された識別コードや遊技情報メモリに格納された遊技情報（出玉情報、図柄停止情報及び大当たり情報等）を読み取り、遊技機監視用回路４の固有コード格納メモリ４８の識別コード、及び遊技情報メモリ４７に格納されたる遊技情報との比較を行い、遊技機制御用チップ２が正規のものか否かのチェックを行い、もし正規でないと判断した場合には、遊技機の電源をリセット回路３２を介して切断するように構成されている。
【００１１】
図３に示すものは本発明にかかる第２実施例を示すもので前記第１実施例のものと遊技機監視用回路４のブロック構成は同一であるが、遊技機制御用チップ２のブロック構成が以下の点で異なる。
すなわち第１実施例における外部通信回路２８及び暗号／復号回路３１が一体化された常時通信回路２８’として組み込まれ、該常時通信回路２８’は遊技情報メモリ２５と固有コード格納メモリ２６の情報を常時暗号化して遊技機監視用回路４の外部通信回路４５に送信すると共に、遊技機監視用回路４の外部通信回路４５から送信された暗号化情報を常時復号化するように構成されている。
【００１２】
図４に示すものは、本発明にかかるシステムの第３実施例を示すもので、前述第１実施例及び第２実施例とは遊技機監視用回路４のブロック構成が同一のため省略しているが、遊技機制御用チップ２はリセット回路３２と接続された中央処理装置のメインＣＰＵ２１と、ブートＲＡＭ２２、ユーザＲＡＭ２４、ブートＲＯＭ２３、セキュリティチェック回路３０、遊技情報メモリ２５、固有コード格納メモリ２６、ユーザＲＯＭ２７及び遊技情報出力回路２９までは前記第１実施例のものと同一であるが、追加としてバス排他制御回路３７が接続されている。さらに遊技機制御用チップ２内には前記リセット回路３２のシステムリセット端子と接続された第２中央処理装置（以下第２ＣＰＵと呼ぶ。）３８と、制御プログラム実行ＲＯＭ３４と、ワークＲＡＭ３３と、外部通信回路３５と、暗合／復号化回路３６とからなり、前記遊技機制御用チップ２の内部バスは前記各回路と共に前記ＣＰＵ２１の遊技情報メモリ２５、固有コード格納メモリ２６及びバス排他制御回路３７とも接続されている。この構成の結果第２ＣＰＵ３８はＣＰＵ２１のバス排他制御回路３７との関係でＣＰＵ２１のプログラム実行に影響を与えない状態で遊技中を含む全ての状態において、図示しない遊技機監視用回路４に識別コード及び遊技情報を送信し続けることが可能なように構成されている。
【００１３】
図５に示すものは、前記第１乃至第３実施例の遊技機監視用回路４を各遊技機1１〜1ｎに隣接して監視ユニット4１〜4ｎの形でホールに設置した状態を示す概略図であり、該監視ユニット4１〜4ｎは店内ＬＡＮ５０、ターミナルコントローラ６０、公衆ネットワーク７０を介して監視センターコンピュータ８０と接続されており、各種遊技機1１〜1ｎに設置された遊技機制御用チップが正規のものか否に関する情報が監視センターコンピュータ８０の指示に基づき送信されるように構成したものである。
【００１４】
図６に示すものは、前記図５に示す実施例において監視ユニット4１〜4ｎでチェックした遊技機制御用チップに関する情報が、監視センターコンピュータ８０の指示ばかりでなく店内監視用コンピュータ９０の指示にも基づき送信されるように構成したものである。
【００１５】
以上述べた構成において本実施例にかかる図２のシステムでは、まず電源切断時に外部通信回路４５を介して遊技機制御用チップ２内の遊技情報格納メモリ２５に格納されている遊技情報（出玉情報、図柄停止情報、大当たり情報等）及び／又は固有コード格納メモリ２６に格納されている識別コードを読み取りに行き、遊技機制御用チップ２の外部通信回路２８を介して送信された暗号化された遊技情報及び暗号化識別コード情報を受け取る。受け取った情報はワークＲＡＭ４３に格納し、まず受信した暗号化識別コード情報を暗合／復号回路４９で復号化し、固有コード格納メモリ４８に格納された識別コードとの比較を行い、遊技機に設置されている遊技機制御用チップ２が正規のものか否かのチェックを行う。次にワークＲＡＭ４３に格納された遊技情報を同様に暗合／復号回路４９で復号化し、遊技機監視用回路４の遊技情報メモリ４７に格納された遊技情報との比較を行い、情報値に大きな差異がない場合にはこれを新たな遊技情報としてメモリ４７に格納した後に遊技機の電源を切断する。
そして識別コード及び遊技情報に大きな差が生じた場合には、チップは偽物であるとして、次回以降の遊技機の立ち上げを禁止した状態で遊技機の電源を切断する。
【００１６】
次に開店前においては、カードユニット兼用の遊技機監視用回路４の電源を立ち上げた後に遊技機１の電源を投入し、前述同様に遊技機制御用チップ２の遊技情報メモリ２５及び固有コード格納メモリ２６に格納された遊技情報及び識別コードを読み取り、遊技機監視用回路４に格納された遊技情報及び識別コードとの比較を行い、閉店後において遊技機制御用チップ２が改造されたか、正規のチップと並列に不正のチップが設置されたか否かについて照合を行い、もし識別コード及び／又は遊技情報において齟齬が生じた場合には不正と判断し、遊技機の電源を切断する。
【００１７】
次に開店後においては、カードユニット方式の遊技機では必ず遊技者は遊技の前に所定の金銭カードを挿入した後に遊技を開始する。この時点で、本実施例にかかる回路４では、固有コード格納メモリ２６及び遊技情報メモリ２５に格納された識別コード及び遊技情報を読み取り、遊技機監視用回路４内に格納された遊技情報メモリ４７及び固有コード格納メモリ４８に格納されたとの照合を行う。照合結果正規と判断した場合には遊技者に対して遊技機での遊技を許容する。すると何らかの形で遊技機において図柄停止が行われたり、大当たりがあったり、出玉が生じることになる。この遊技情報は、遊技機制御用チップ２において常時遊技情報メモリ２５に積算値を加算した遊技情報として格納される。他方回路４においても遊技機制御用チップ２から送信される遊技情報及び又は遊技機１の情報端子（図示せず）から送信される情報を遊技情報メモリ４７に積算された遊技情報として格納している。
【００１８】
そして遊技者が遊技機１での遊技を終了した時点でカードに残額がある場合には、カード取り出しを行った時、また残額がない場合に取り出しは行われないので、次のカード挿入時において本実施例にかかるシステムでは、前述同様に遊技情報及び固有コード格納メモリ２６内の識別コードの照合を行い、識別コードが正規のものか否かをチェックすると共に遊技情報の値に関して遊技機制御用チップ２と遊技機監視用回路４の情報が一致するか否についての照合を行う。
もし遊技者が遊技の途中で遊技機制御用チップ２を何らかの形で改造した場合、正規チップと並列に偽物チップを接続した場合において、固有コードの照合に際して正規チップとの通信を行わせていたとしても遊技情報に関しては積算情報として回路４自身が遊技情報をバックアップしているので、遊技情報に関して必ずデータが不一致の状態となる。そこで、かかる遊技中の不正行為をカード挿入時又はカード取り出し時にはチェックできることになる。
以上のように遊技者は必ず遊技の前にカードを挿入するので全ての不正行為を事後的にチェックすることが可能となる。そして不正が行われた遊技機については電源を切断し、以降使用できない状態にする。
【００１９】
閉店後の電源切断前にチェックする方式では、開店前の遊技情報は、通常は遊技機制御用チップ２及び遊技機監視用回路４とも積算値として加算されている。そこで識別コードのチェックと共に遊技情報のチェックを行えば、遊技中は兎も角としてその日の内に遊技機１の遊技機制御用チップ２に対して何らかの不正行為が行われたか否かをチェックすることが可能となる。
尚、本実施例では各種情報を電源投入前、カード挿入時、カード取り出し時、さらには電源切断時においてチェックするように構成したがこれに限定されるものではなく、電源投入前とカード挿入時、カード挿入時とカード取り出し時、電源投入前と電源切断時、さらにはこれらを複合した組み合わせ時点でチェックするようにしても良いことはいうまでもない。
【００２０】
図３に示す実施例のものは、遊技機制御用チップ２内に常時通信回路を設けており、固有コード格納メモリ２６内の識別コード及び遊技情報メモリ２５内の遊技情報は常時遊技機監視用回路４内の外部通信回路に対して送信するように構成されているために、営業中にチップ２に不正が行われれば識別コード又は遊技情報の値に違いがでるため、遊技者は遊技機制御用チップ２に対しての不正行為を行うことは不可能な状態となる。
【００２１】
図４に示す実施例のものは、前記第２実施例と同様に常時識別コード及び遊技情報を遊技機監視用回路４に送信するように構成したものであるが、何らかの形で第１ＣＰＵ２１に対して影響を与えないように別個を通信専用の第２ＣＰＵ３８を設け、さらにはバス排他制御回路３７を設置しているので、第１ＣＰＵ２１のプログラム実行に何等影響を与えることなく、識別コード及び遊技情報を送信することができる。また逆に不正のチップを組み込んだものでは遊技機監視用回路４からの通信により遊技動作に影響を受けるか、通信に対して反応しないことからも不正をチェックできることになる。
【００２２】
【発明の効果】
以上述べたように本発明にかかる監視システムでは、遊技機制御用チップの自己セキュリティチェックの他に監視ユニットにより遊技機制御用チップが正規のものか否かをチェックするように構成したので、あらゆるチップへの不正行為に対してこれを検出することが可能となる。
また検出に際して、遊技情報を常時積算してバックアップする方式を採用していることから、正規チップと並列に不正チップを組み込んだような場合においても不正を発見することができる。
【図面の簡単な説明】
【図１】  本発明にかかるシステムの概略を示すブロック図である。
【図２】  本発明の第１実施例を示すシステムのブロック図である。
【図３】  本発明の第２実施例を示すシステムのブロック図である。
【図４】  本発明の第３実施例を示すシステムのブロック図である。
【図５】  本発明の第１から第３実施例のシステムを監視センターコンピュータにて監視できるように構成した概略ブロック図である。
【図６】  本発明の第１から第３実施例のシステムを店内監視用コンピュータ及び監視センターコンピュータにて監視できるように構成した概略ブロック図である。
【符号の説明】
１        遊技機制御基板
２        遊技機制御用チップ
３        払出しユニット
４        遊技機監視ユニット（回路）
２１      中央処理装置
２２      ブートＲＡＭ
２３      ブートＲＯＭ
２４      ワークＲＡＭ
２５      バックアップメモリ
２６      固有コード格納メモリ
２７      ユーザＲＯＭ
２８      外部通信回路
２９      遊技情報出力回路
３０      セキュリティチェック回路
３１      暗合／復号回路
３２      リセット回路
３３      ワークＲＡＭ
３４      制御プログラム実行ＲＯＭ
３５      外部通信回路
３６      暗合／復号回路
３７      バス排他制御回路
３８      第２中央処理装置
４１      サブＣＰＵ
４２      リセット回路
４３      ワークＲＡＭ
４４      プログラムＲＯＭ
４５      外部通信回路
４６      遊技情報入力回路
４７      遊技情報メモリ
４８      固有コード格納メモリ
４９      暗合／復号回路
５０      店内ＬＡＮ
６０      ターミナルコントローラ
７０      公衆ネットワーク
８０      監視センターコンピュータ
９０      店内監視用コンピュータ
【図１】
0004401468.tif 000002
【図２】
0004401468.tif 000003
【図３】
0004401468.tif 000004
【図４】
0004401468.tif 000005
【図５】
0004401468.tif 000006
【図６】
0004401468.tif 000007